(57)【要約】【課題】利用者の三次元位置に応じたコンテンツを利用者に提供する。【解決手段】コンテンツ提供装置は、複数のコンテンツデータと、各コンテンツデータに対応付けられた位置情報とを記憶する記憶部４２と、衛星２，３からの信号に基づいて測位を行う移動端末１から、移動端末１の緯度、経度及び高度を含む位置情報を受信する位置情報受信部４０１と、前記複数のコンテンツデータから、移動端末１から受信した位置情報に対応するコンテンツデータを選択する選択部４０２と、選択したコンテンツデータを移動端末１へ送信する送信部４０６と、を備える。【選択図】図１
2019148906.tif 000002
【特許請求の範囲】
【請求項１】
複数のコンテンツデータと、各コンテンツデータに対応付けられた位置情報とを記憶する記憶部と、
衛星からの信号に基づいて測位を行う移動端末から、前記移動端末の緯度、経度及び高度を含む位置情報を受信する位置情報受信部と、
前記複数のコンテンツデータから、前記移動端末から受信した位置情報に対応するコンテンツデータを選択する選択部と、
選択したコンテンツデータを前記移動端末へ送信する送信部と、
を備えるコンテンツ提供装置。
【請求項２】
前記複数のコンテンツデータはそれぞれ個別の店舗に対応しており、
各コンテンツデータには、店舗の名称又は外観の特徴量が対応付けられており、
前記移動端末から受信した位置情報に対応するコンテンツデータが複数ある場合に、前記移動端末に対し、店舗外観を撮影するように指示する指示部、及び前記移動端末から店舗画像を受信し、画像認識処理により前記店舗画像から店舗名称又は特徴量を検出する画像受信部をさらに備え、
前記選択部は、前記複数のコンテンツデータから、前記移動端末から受信した位置情報、及び画像認識処理により前記店舗画像から検出された店舗名称又は特徴量に対応するコンテンツデータを選択することを特徴とする請求項１に記載のコンテンツ提供装置。
【請求項３】
前記複数のコンテンツデータはそれぞれ個別の店舗に対応しており、
各コンテンツデータには、店舗に設置された超音波発信機から送信される超音波に含まれる情報が対応付けられており、
前記移動端末から受信した位置情報に対応するコンテンツデータが複数ある場合に、前記移動端末に対し、超音波発信機からの超音波を集音するように指示する指示部、及び前記移動端末が超音波を集音し解析して取得した情報を前記移動端末から受信する超音波情報受信部をさらに備え、
前記選択部は、前記複数のコンテンツデータから、前記移動端末から受信した位置情報、及び前記超音波情報受信部が受信した情報に対応するコンテンツデータを選択することを特徴とする請求項１に記載のコンテンツ提供装置。
【請求項４】
衛星からの信号に基づいて測位を行う移動端末と通信可能に接続され、複数のコンテンツデータと各コンテンツデータに対応付けられた位置情報とを記憶する記憶部を有するサーバ装置が実行するコンテンツ提供方法であって、
前記移動端末から前記移動端末の緯度、経度及び高度を含む位置情報を受信するステップと、
前記複数のコンテンツデータから、前記移動端末から受信した位置情報に対応するコンテンツデータを選択するステップと、
選択したコンテンツデータを前記移動端末へ送信するステップと、
を備えることを特徴とするコンテンツ提供方法。
【請求項５】
衛星からの信号を用いて、自端末の緯度、経度及び高度を含む位置情報を測定するステップと、
コンテンツ提供装置から前記位置情報に対応するコンテンツデータを取得するステップと、
取得したコンテンツデータを出力するステップと、
をコンピュータを有する移動端末が実行することを特徴とするプログラム。
【発明の詳細な説明】
【技術分野】
【０００１】
本発明は、コンテンツ提供装置、コンテンツ提供方法及びプログラムに関する。
【背景技術】
【０００２】
近年、センサの小型化及び高精度化に伴い、スマートフォンやタブレット端末等の携帯端末に種々のセンサが内蔵されてきている。例えば、携帯端末には、衛星からの測位電波を受信することによって携帯端末の現在の緯度、経度及び高度を測位するＧＰＳ（Global  Positioning  System）センサが内蔵されている。また、気圧センサを用いて端末の高度を測定する手法も知られている。
【０００３】
携帯端末を所有するユーザの三次元の位置を正確に識別し、位置に応じた付加価値の高いコンテンツを提供するサービスが求められている。
【先行技術文献】
【特許文献】
【０００４】
【特許文献１】特開２００６−１４５３４０号公報
【特許文献２】特開２００６−３１７２２５号公報
【発明の概要】
【発明が解決しようとする課題】
【０００５】
本発明は、利用者の三次元位置に応じたコンテンツを利用者に提供するコンテンツ提供装置、コンテンツ提供方法及びプログラムを提供することを課題とする。
【課題を解決するための手段】
【０００６】
本発明によるコンテンツ提供装置は、複数のコンテンツデータと、各コンテンツデータに対応付けられた位置情報とを記憶する記憶部と、衛星からの信号に基づいて測位を行う移動端末から、前記移動端末の緯度、経度及び高度を含む位置情報を受信する位置情報受信部と、前記複数のコンテンツデータから、前記移動端末から受信した位置情報に対応するコンテンツデータを選択する選択部と、選択したコンテンツデータを前記移動端末へ送信する送信部と、を備えるものである。
【０００７】
本発明の一態様では、前記複数のコンテンツデータはそれぞれ個別の店舗に対応しており、各コンテンツデータには、店舗の名称又は外観の特徴量が対応付けられており、前記移動端末から受信した位置情報に対応するコンテンツデータが複数ある場合、前記移動端末に対し、店舗外観を撮影するように指示する指示部、及び前記移動端末から店舗画像を受信し、画像認識処理により前記店舗画像から店舗名称又は特徴量を検出する画像受信部をさらに備え、前記選択部は、前記複数のコンテンツデータから、前記移動端末から受信した位置情報、及び画像認識処理により前記店舗画像から検出された店舗名称又は特徴量に対応するコンテンツデータを選択する。
【０００８】
本発明の一態様では、前記複数のコンテンツデータはそれぞれ個別の店舗に対応しており、各コンテンツデータには、店舗に設置された超音波発信機から送信される超音波に含まれる情報が対応付けられており、前記移動端末から受信した位置情報に対応するコンテンツデータが複数ある場合、前記移動端末に対し、超音波発信機からの超音波を集音するように指示する指示部、及び前記移動端末が超音波を集音し解析して取得した情報を前記移動端末から受信する超音波情報受信部をさらに備え、前記選択部は、前記複数のコンテンツデータから、前記移動端末から受信した位置情報、及び前記超音波情報受信部が受信した情報に対応するコンテンツデータを選択する。
【０００９】
本発明のコンテンツ提供方法は、衛星からの信号に基づいて測位を行う移動端末と通信可能に接続され、複数のコンテンツデータと各コンテンツデータに対応付けられた位置情報とを記憶する記憶部を有するサーバ装置が実行するコンテンツ提供方法であって、前記移動端末から前記移動端末の緯度、経度及び高度を含む位置情報を受信するステップと、前記複数のコンテンツデータから、前記移動端末から受信した位置情報に対応するコンテンツデータを選択するステップと、選択したコンテンツデータを前記移動端末へ送信するステップと、を備えるものである。
【００１０】
本発明のプログラムは、衛星からの信号を用いて、自端末の緯度、経度及び高度を含む位置情報を測定するステップと、コンテンツ提供装置から前記位置情報に対応するコンテンツデータを取得するステップと、取得したコンテンツデータを出力するステップと、をコンピュータを有する移動端末が実行するものである。
【発明の効果】
【００１１】
本発明によれば、利用者の三次元位置に応じたコンテンツを利用者に提供できる。
【図面の簡単な説明】
【００１２】
【図１】本発明の実施形態に係るコンテンツ提供システムの概略構成図である。
【図２】利用者に提供されるコンテンツの例を示す図である。
【図３】（ａ）（ｂ）は店舗識別方法の例を示す図である。
【図４】ユーザ端末の概略構成図である。
【図５】サーバ装置の概略構成図である。
【図６】同実施形態に係るコンテンツ提供方法を説明するフローチャートである。
【発明を実施するための形態】
【００１３】
以下、本発明の実施の形態を図面に基づいて説明する。
【００１４】
図１に示すように、本発明の実施形態に係るコンテンツ提供システムは、ユーザ端末１と、ユーザ端末１の位置に応じたコンテンツをユーザ端末１に提供するサーバ装置４とを備える。ユーザ端末１は、例えばスマートフォンやタブレット端末等の利用者が所有する移動端末であり、自端末の位置（経度、緯度及び高度）を測定する。
【００１５】
ユーザ端末１は、ＧＰＳ衛星２から航法信号を受信して、測位を行う。また、ユーザ端末１は、準天頂衛星３（ＱＺＳＳ（準天頂衛星システム）における衛星「みちびき」等）からの誤差補正情報（個々のＧＰＳ衛星２の時刻や軌道、測位地域の電離層遅延が示された誤差情報等を含む補正情報）を受信し、高精度に測位を行う。
【００１６】
ユーザ端末１には気圧センサが搭載されており、気圧センサで計測した気圧値も考慮して、高度が高精度に算出される。
【００１７】
ユーザ端末１は、定期的に測位を行い、自端末の位置をサーバ装置４に通知する。
【００１８】
サーバ装置４は、ユーザ端末１の位置に応じたコンテンツを提供する。ここで、サーバ装置４は、ユーザ端末１に対し、ユーザ端末１の水平方向の位置（緯度・経度）、及び垂直方向の位置（高度）に応じて異なるコンテンツを提供する。提供するコンテンツは、例えばクーポン、限定（記念）の画像や動画、広告等である。
【００１９】
例えば、図２に示すように、高層建築物（以下、タワーＴと記載する）の１階に利用者がいる場合、サーバ装置１は、ユーザ端末１に対し、天望ツアーの当日券が短い待ち時間で購入できること、及び天望デッキにて記念撮影が割引価格で行えることを通知する広告を提供する。
【００２０】
タワーＴの地上２０メートルのレストランフロアに利用者がいる場合、サーバ装置１は、ユーザ端末１に対し、レストランフロアにあるレストランで使用できる割引クーポンを提供する。
【００２１】
タワーＴの地上３５０メートルの天望デッキに利用者がいる場合、サーバ装置１は、ユーザ端末１に対し、記念撮影ブースでの記念撮影の割引クーポンを提供する。利用者は、割引価格で記念撮影サービスを利用できる。
【００２２】
タワーＴの地上４５０メートルの天望回廊に利用者がいる場合、サーバ装置１は、ユーザ端末１に対し、記念撮影ブースでの記念撮影の無料クーポンを提供する。利用者は、記念撮影サービスを無料で利用できる。
【００２３】
このように、本実施形態によれば、水平方向の位置（緯度・経度）が同じ場合でも、ユーザ端末１に対し、垂直方向の位置（高度）に応じて異なるコンテンツを提供できる。
【００２４】
ユーザ端末１は、ＧＰＳ衛星２及び準天頂衛星３からの信号により水平方向の位置（緯度・経度）を高精度に測定できるが、例えば、複数のレストランが隣接・密集しているレストランフロアにおいて各レストランを個別に特定することが困難になる場合がある。店舗毎に異なるコンテンツが準備されている場合、ユーザ端末１を携帯している利用者がどの店舗にいるか（どの店舗の前にいるか）を精確に識別し、対応するコンテンツを提供する必要ある。
【００２５】
そこで、本実施形態では、ＧＰＳ衛星２や準天頂衛星３からの信号だけではどの店舗の前にいるか特定できず、提供すべきコンテンツを選択できない場合に、別の方法で店舗を識別する。
【００２６】
例えば、図３（ａ）に示すように、ユーザ端末１に、店舗の看板等の外観を撮影するように指示する画面が表示される。利用者は、ユーザ端末１の内蔵カメラで店舗の看板等を撮影する。ユーザ端末１は、撮影した店舗画像をサーバ装置４へ送信する。サーバ装置４は、店舗画像から店舗の名称や外観の特徴量を検出し、利用者がどの店舗にいるかを判断し、この店舗に対応するコンテンツをユーザ端末１に送信する。
【００２７】
あるいはまた、ユーザ端末１に、店舗に設置された超音波発信機に近付くように指示する画面が表示される。図３（ｂ）に示すように、ユーザ端末１が、超音波発信機Ｕから送信された超音波をマイクロフォンで集音し、解析（例えば周波数解析）を行い、情報を取得する。超音波発信機Ｕは、店舗を識別可能となるような情報を含む超音波信号を送信する。ユーザ端末１は、取得した情報をサーバ装置４に送信する。サーバ装置４は、受信した情報から利用者がどの店舗にいるかを判断し、この店舗に対応するコンテンツをユーザ端末１に送信する。
【００２８】
このように、衛星からの信号だけでは詳細な位置を特定できない場合、看板等を撮影した店舗画像や、店舗に設置された超音波発信機からの超音波信号を併用して、ユーザ端末１の位置に応じたコンテンツを選択・提供する。
【００２９】
図４は、ユーザ端末１の概略構成図である。ユーザ端末１は、制御部１０、アンテナ１１、タッチパネル１２、カメラ１３、記憶部１４、通信部１５、気圧センサ１６、マイクロフォン１７等を備えたスマートフォンやタブレット端末である。
【００３０】
制御部１０は、ユーザ端末１の全体を制御する中央処理装置（ＣＰＵ）である。制御部１０は、記憶部１４に記憶されているアプリケーションプログラムを読み出して実行することにより、各種機能を実現する。
【００３１】
記憶部１４は、制御部１０が各種の処理を実行するために必要なプログラムやデータ等を記憶するための記憶領域であり、半導体メモリ等が用いられる。
【００３２】
アンテナ１１は、衛星２，３からの信号を受信する。タッチパネル１２は、利用者からの入力を受け付けたり、サーバ装置４から取得したコンテンツを表示したりする。
【００３３】
カメラ１３には、ＣＣＤカメラ又はＣＭＯＳカメラが用いられる。通信部１５は、サーバ装置４との通信を行う。気圧センサ１６は、高度に応じた気圧値を電力値として出力する。マイクロフォン１７は、周囲の音を集音する。
【００３４】
制御部１０は、測位部１０２、コンテンツ取得部１０４、撮影制御部１０６、解析部１０８及び出力処理部１１０の機能を有する。
【００３５】
測位部１０２は、アンテナ１１を介して、複数のＧＰＳ衛星２から信号を受信すると共に、複数の準天頂衛星３からＧＰＳ測位信号の誤差情報や精密測位に必要となる情報を受信し、自端末の位置（緯度、経度及び高度）を測定する。測位部１０２は、気圧センサ１６で測定した気圧値に基づいて、自端末の高度を算出・補正してもよい。測位部１０２による測位処理は、所定時間毎に自律的に行われてもよいし、アプリケーションからの要求に応じて行われてもよい。
【００３６】
コンテンツ取得部１０４は、ユーザ端末１の位置情報をサーバ装置４に通知し、位置に対応するコンテンツを取得する。衛星からの信号に基づく位置情報のみではコンテンツを選択できない（絞り込めない）場合、サーバ装置１から、別の位置取得方法（店舗識別方法）が指示される。
【００３７】
店舗識別方法としては、看板等の店舗の撮影と、店舗に設置された超音波発信機からの超音波信号の取得とがある。
【００３８】
サーバ装置１から店舗の撮影が指示された場合、撮影制御部１０６がカメラ１３を起動し、図３（ａ）に示すような店舗撮影画面をタッチパネル１２に表示する。利用者が店舗の看板等を撮影すると、通信部１５を介して店舗画像がサーバ装置１へ送信される。
【００３９】
サーバ装置１から超音波信号の取得が指示された場合、マイクロフォン１７がオンする。図３（ｂ）に示すように、利用者が超音波発信機Ｕに近付くと、マイクロフォン１７を介して超音波が集音される。解析部１０８は、超音波信号の解析を行い、超音波信号に含まれる情報を取得する。
【００４０】
コンテンツ取得部１０４は、ユーザ端末１の位置情報と、店舗画像又は超音波信号に含まれていた情報とによって選択されたコンテンツをサーバ装置４から取得する。
【００４１】
出力処理部１１０は、コンテンツ取得部１０４が取得したコンテンツを出力する。例えば、タッチパネル１２に画像（静止画や動画）を表示したり、スピーカ（図示略）から音声を出力したりする。
【００４２】
図５は、コンテンツ提供装置であるサーバ装置４の概略構成図である。サーバ装置４は１台のコンピュータで構成されていてもよいし、複数台のコンピュータで構成されていてもよい。図５に示すように、サーバ装置４は、制御部４０、記憶部４２、及び通信部４４を備える。制御部４０は、サーバ装置４の全体を制御する中央処理装置（ＣＰＵ）である。制御部４０は、記憶部４２に記憶されているオペレーティングシステム（ＯＳ）やアプリケーションプログラムを読み出して実行することにより、各種機能を実現する。
【００４３】
記憶部４２は、制御部４０が各種の処理を実行するために必要なプログラムやデータ等を記憶するための記憶領域であり、ハードディスクや半導体メモリ等が用いられる。記憶部４２は、位置情報とコンテンツデータとが対応付けて格納されたコンテンツＤＢ（データベース）を有する。コンテンツデータに対応付けられた位置情報は、測定誤差を考慮して、一定の範囲の位置を示している。
【００４４】
複数の小店舗が隣接し、各店舗に個別のコンテンツが準備されている場合は、各店舗を識別するための追加情報がさらに対応付けられている。追加情報は、例えば、店舗の名称や店舗画像から抽出される特徴、又は店舗に設置された超音波発信機から送信される超音波に含まれる情報である。
【００４５】
通信部４４は、インターネットやＬＡＮ等のネットワークを介して、ユーザ端末１と通信を行う。
【００４６】
制御部４０は、位置情報受信部４０１、コンテンツ選択部４０２、識別方法指示部４０３、画像受信部４０４、超音波情報受信部４０５及びコンテンツ送信部４０６の機能を有する。
【００４７】
位置情報受信部４０１は、ユーザ端末１から位置情報を受信する。
【００４８】
コンテンツ選択部４０２は、ユーザ端末１から受信した位置情報に対応するコンテンツをコンテンツＤＢから選択する。
【００４９】
複数の小店舗が隣接し、各店舗に個別のコンテンツが準備されている場合、ユーザ端末１から受信した位置情報では、コンテンツ（店舗）を１つに絞り込めないことがある。この場合、上述した追加情報が必要となる。識別方法指示部４０３は、追加情報を取得するための識別方法をユーザ端末１に指示する。識別方法は、店舗画像の撮影、又は超音波の集音である。
【００５０】
画像受信部４０４は、ユーザ端末１から店舗画像を受信し、画像認識処理により店舗画像から文字や特徴量を検出する。特徴量は、ＥＯＨ特徴量、ＨＯＧ特徴量、Ｅｄｇｅｌｅｔ特徴量、Ｊｏｉｎｔ  Ｈａａｒ−ｌｉｋｅ特徴量など特に限定されない。
【００５１】
超音波情報受信部４０５は、ユーザ端末１から、超音波信号の解析により得られた情報を受信する。
【００５２】
コンテンツ選択部４０２は、店舗画像から検出した文字や特徴、又は超音波信号から取得した情報を用いて、ユーザ端末１の位置に応じたコンテンツデータを選択する。
【００５３】
コンテンツ送信部４０６は、コンテンツ選択部４０２が選択したコンテンツデータをユーザ端末１へ送信する。
【００５４】
次に、本実施形態に係るコンテンツ提供方法を図６に示すフローチャートを用いて説明する。
【００５５】
ユーザ端末１が、定期的に自端末の位置を測定する（ステップＳ１）。ユーザ端末１は、測定した位置情報をサーバ装置４に通知する。位置情報は、緯度、経度、高度を含む。
【００５６】
ユーザ端末１の位置に対応するコンテンツが１つだけある場合（ステップＳ２＿Ｙｅｓ、Ｓ３＿Ｙｅｓ）、サーバ装置４がコンテンツデータをユーザ端末１に送信する（ステップＳ４）。ユーザ端末１が、サーバ装置４から取得したコンテンツを表示・出力する（ステップＳ５）。
【００５７】
ユーザ端末１の位置に対応するコンテンツが複数ある場合（ステップＳ２＿Ｙｅｓ、Ｓ３＿Ｎｏ）、サーバ装置４が、コンテンツを絞り込むための識別方法をユーザ端末１に指示する（ステップＳ６）。
【００５８】
識別方法が画像を用いるものである場合、ユーザ端末１のカメラ１３が起動し、利用者は店舗の看板等を撮影する（ステップＳ７）。ユーザ端末１は、撮影した店舗画像をサーバ装置４へ送信する。サーバ装置１は、画像認識により店舗画像から文字や特徴量を検出し（ステップＳ８）、コンテンツデータを選択する（ステップＳ９）。
【００５９】
識別方法が超音波を利用するものである場合、ユーザ端末１のマイクロフォン１７が起動し、店舗に設置された超音波発信機からの超音波を集音する（ステップＳ１０）。ユーザ端末１は、集音した超音波信号を解析して情報を取得し、取得した情報をサーバ装置４へ送信する（ステップＳ１１）。サーバ装置１は、受信した情報に基づいてコンテンツデータを選択する（ステップＳ９）。
【００６０】
サーバ装置４が、ステップＳ９で選択したコンテンツデータをユーザ端末１に送信する（ステップＳ４）。ユーザ端末１が、サーバ装置４から取得したコンテンツを表示・出力する（ステップＳ５）。
【００６１】
このように、本実施形態によれば、利用者の三次元位置に応じたコンテンツを利用者に提供できる。経度・緯度が同じ場所であっても、異なる高さにいる利用者に対し、異なるコンテンツを提供できる。
【００６２】
上記実施形態では、高さに応じたクーポンを提供する例について説明したが、スタンプラリーの電子スタンプやコンプリート証明書等を付与してもよい。
【００６３】
上記実施形態において店舗を識別する手法は、店舗の撮影や超音波の解析に限定されず、ビーコン信号等を用いたものでもよい。例えば、サーバ装置４から、コンテンツを絞り込むための識別方法として、ビーコン信号を受信することが、ユーザ端末１に指示される。ユーザ端末１は、店舗に設置された発信器からビーコン信号を受信すると、この信号に含まれる識別情報をサーバ装置４に送信する。サーバ装置４は、受信した識別情報に基づいて、コンテンツデータを選択する。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６５】
１  ユーザ端末
２  ＧＰＳ衛星
３  準天頂衛星
４  サーバ装置
【図１】
2019148906.tif 000003
【図２】
2019148906.tif 000004
【図３】
2019148906.tif 000005
【図４】
2019148906.tif 000006
【図５】
2019148906.tif 000007
【図６】
2019148906.tif 000008